(57)【要約】      （修正有）【課題】漏洩したインクの拡散の仕方に関わらず、１つの供給口から底面を伝って別の供給口へインクが漏洩しないインクカートリッジを提供する。【解決手段】天蓋部と底面３と側面とを備える筐体を有し、天蓋部に大気口が備えられ、底面３に複数の吐出口１３が備えられ、筐体の内部にインクを収容するインク室が備えられたインクカートリッジ１であって、底面にはＴ字状の溝１４が形成され、複数の吐出口１３がＴ字状の溝１４によって分画されるように構成する。【選択図】図３
0003207199.tif 000002
【実用新案登録請求の範囲】
【請求項１】
天蓋部と底面と側面とを備える筐体を有し、前記天蓋部に大気口が備えられ、前記底面に複数の吐出口が備えられ、前記筐体の内部にインクを収容するインク室が備えられたインクカートリッジであって、
前記底面の外側にはＴ字状の溝が形成され、前記複数の吐出口が前記Ｔ字状の溝によって分画されていることを特徴とするインクカートリッジ。
【請求項２】
前記インク室がＴ字状の隔離壁で分画された複数のインク収容室を備え、前記Ｔ字状の隔離壁が前記Ｔ字状の溝と同列に配置されていることを特徴とする請求項１に記載のインクカートリッジ。
【請求項３】
前記Ｔ字状の溝は、前記底面の短辺方向に延在する横溝と、前記底面の長辺方向に延在する縦溝とを有し、前記縦溝の一方は前記側面まで延在し、前記縦溝の他方と前記横溝との間は仕切り壁によって仕切られていることを特徴とする請求項１または２に記載のインクカートリッジ。
【請求項４】
前記横溝の少なくとも一方が前記側面まで延在することを特徴とする請求項３に記載のインクカートリッジ。
【請求項５】
前記Ｔ字状の溝には印刷装置の位置決め突起が挿入される被挿入部が含まれていることを特徴とする請求項１のインクカートリッジ。
【請求項６】
天蓋部と底面と側面とを備える筐体を有し、前記天蓋部に大気口が備えられ、前記底面に複数の吐出口が備えられ、前記筐体の内部にインクを収容するインク室が備えられたインクカートリッジであって、
前記底面には十字状の溝が形成され、前記複数の吐出口が前記十字状の溝によって分画されていることを特徴とするインクカートリッジ。
【考案の詳細な説明】
【技術分野】
【０００１】
本考案は、インクジェット式プリンタに搭載されるインクカートリッジに関し、さらに詳しくは、複数のインク吐出口を備えたインクカートリッジに関する。
【背景技術】
【０００２】
印刷装置には、印字機構（ヘッド）から記録液であるインクを吐出して記録媒体に記録を行うインクジェット方式と呼ばれるものがある。インクジェット方式の印刷装置では、印字機構に対するインクの供給方式として、交換式インクカートリッジを着脱自在に装着し、印字機構にインク吐出口から直接インクを供給する方式が知られている。
【０００３】
近年、小型化の観点から複数色のインクを収容したインクカートリッジが提案されており、第１液体供給口と第２液体供給口との間から第３液体供給口へ向けて延在する溝を設け、１つの供給口から底面を伝って別の供給口へインクが漏洩しないようにしている。（例えば特許文献１）。
【先行技術文献】
【特許文献】
【０００４】
【特許文献１】特開２０１５−１６０３１４号公報
【考案の概要】
【考案が解決しようとする課題】
【０００５】
しかしながら、上記特許文献では、１つの供給口から漏洩したインクの拡散の仕方によっては、溝に入らずに底面を伝って別の供給口へ入りインクの混色を引き起こすという問題があった。
【０００６】
本考案は、漏洩したインクの拡散の仕方に関わらず、１つの供給口から底面を伝って別の供給口へインクが漏洩しないインクカートリッジを提供することを目的とする。
【０００７】
この目的は、実用新案登録請求の範囲における独立項に記載の特徴の組み合わせにより達成される。また、従属項は本考案の更なる有利な具体例を規定する。
【課題を解決するための手段】
【０００８】
即ち、本考案の第１の考案は、天蓋部と底面と側面とを備える筐体を有し、前記天蓋部に大気口が備えられ、前記底面に複数の吐出口が備えられ、前記筐体の内部にインクを収容するインク室が備えられたインクカートリッジであって、前記底面の外側にはＴ字状の溝が形成され、前記複数の吐出口が前記Ｔ字状の溝によって分画されていることを特徴とするインクカートリッジである。
【０００９】
本考案の第２の考案は、第１の考案に記載の前記インク収容室がＴ字状の隔離壁で分画された複数のインク収容室を備え、前記Ｔ字状の隔離壁が前記Ｔ字状の溝と同列に配置されていることを特徴とする請求項１に記載のインクカートリッジである。
【００１０】
本考案の第３の考案は、第１の考案または第２の考案に記載の前記Ｔ字状の溝は、前記底面の短辺方向に延在する横溝と、前記底面の長辺方向に延在する縦溝とを有し、前記縦溝の一方は前記側面まで延在し、前記縦溝の他方と前記横溝との間は仕切り壁によって仕切られていることを特徴とするインクカートリッジである。
【００１１】
本考案の第４の考案は、第３の考案に記載の前記横溝の少なくとも一方が前記側面まで延在することを特徴とするインクカートリッジである。
【００１２】
本考案の第５の考案は、第１の考案に記載の前記Ｔ字状の溝には印刷装置の位置決め突起が挿入される被挿入部が含まれていることを特徴とするインクカートリッジである。
【００１３】
本考案の第６の考案は、天蓋部と底面と側面とを備える筐体を有し、前記天蓋部に大気口が備えられ、前記底面に複数の吐出口が備えられ、前記筐体の内部にインクを収容するインク室が備えられたインクカートリッジであって、前記底面には十字状の溝が形成され、前記複数の吐出口が前記十字状の溝によって分画されていることを特徴とするインクカートリッジである。
【考案の効果】
【００１４】
本考案の第１の考案であるインクカートリッジは、天蓋部と底面と側面とを備える筐体を有し、天蓋部に大気口が備えられ、底面に複数の吐出口が備えられ、筐体の内部にインクを収容するインク室が備えられたインクカートリッジであって、底面の外側にはＴ字状の溝が形成され、複数の吐出口がＴ字状の溝によって分画された構成にしている。本考案は、上記の構成としているので、吐出口と別の吐出口との間には必ずＴ字状の溝があるため、吐出口から漏洩したインクが溝に入り別の吐出口へ行かないようにすることができる。
【００１５】
本考案の第２の考案であるインクカートリッジは、インク収容室がＴ字状の隔離壁で分画された複数のインク収容室を備え、Ｔ字状の隔離壁がＴ字状の溝と同列に配置された構成にしている。本考案は、上記の構成としているので、各インク収容室に対応する吐出口を正確に分画し、吐出口から漏洩したインクが溝に入り別の吐出口へ行かないようにすることができる。また、Ｔ字状の溝のスペースを省くことで、インク収容室のインク収容量を増加させることができる。
【００１６】
本考案の第３の考案であるインクカートリッジは、Ｔ字状の溝が底面の短辺方向に延在する横溝と、底面の長辺方向に延在する縦溝とを有し、縦溝の一方は側面まで延在し、縦溝の他方と横溝との間は仕切り壁によって仕切られた構成にしている。本考案は、上記の構成としているので、横溝へ漏洩したインクが、プリンタの位置決め突起が挿入される被挿入部を兼ねた縦溝に流入してプリンタに固着することを防ぐことができる。
【００１７】
本考案の第４の考案であるインクカートリッジは、横溝の少なくとも一方が側面まで延在する構成にしている。本考案は、上記の構成としているので、横溝へ漏洩したインクが側面へ流れ、横溝を越えて他の吐出口へ入り込むことを防止できる。
【００１８】
本考案の第５の考案であるインクカートリッジは、Ｔ字状の溝には印刷装置の位置決め突起が挿入される被挿入部が含まれた構成にしている。本考案は、上記の構成としているので、Ｔ字状の溝の他に被挿入部のスペースを設ける場合と比較してインク収容室のインク収容量を増加させることができる。
【００１９】
本考案の第６の考案であるインクカートリッジは、天蓋部と底面と側面とを備える筐体を有し、天蓋部に大気口が備えられ、底面に複数の吐出口が備えられ、筐体の内部にインクを収容するインク室が備えられたインクカートリッジであって、底面には十字状の溝が形成され、複数の吐出口が十字状の溝によって分画された構成にしている。本考案は、上記の構成としているので、吐出口と別の吐出口との間には必ず十字状の溝があるため、吐出口から漏洩したインクが溝に入り別の吐出口へ行かないようにすることができる。
【図面の簡単な説明】
【００２０】
【図１】本考案の１実施形態におけるインクカートリッジである。
【図２】図１のインクカートリッジの別の角度の図である。
【図３】図１のインクカートリッジの底面を示した図である。
【図４】図１のインクカートリッジのインク室及び負圧材を示した図である。
【図５】図１のインクカートリッジの縦断面図である。
【考案を実施するための形態】
【００２１】
本考案の１実施形態について図面を参照して説明するが、本考案はこの事例に限られるものではなく、適宜選択が可能である。
【実施例１】
【００２２】
図１から図５に示すように、本実施形態のインクカートリッジ１は、天蓋部２と底面３と側面４（第１の側面４Ａ、第２の側面４Ｂ、第３の側面４Ｃ及び第４の側面４Ｄ）とを備える筐体１０を有し、天蓋部２に大気口１２が備えられ、底面３に複数の吐出口１３が備えられ、筐体１０の内部にインクを収容するインク室１１が備えられたインクカートリッジ１であって、底面３の外側にはＴ字状の溝１４が形成され、複数の吐出口１３がＴ字状の溝１４によって分画された構成にしている。
【００２３】
図１に示すように、天蓋部２の上面２１には大気口１２と、天蓋部２の裏面まで貫通し筐体１０内部のインク室１１に繋がる連通口２２（第１の連通口２２Ｃ、第２の連通口２２Ｍ及び第３の連通口２２Ｙ）と、大気口１２から各連通口２２へと空気を連通させる空気連通路２３（第１の空気連通路２３Ｃ、第２の空気連通路２３Ｍ及び第３の空気連通路２３Ｙ）が備えられる。この空気連通路２３は、筐体１０内部のインク室１１に負圧材１６を収容し、筐体１０の側面４の上側面と天蓋部２とを溶着して筐体１０の組立が完了した後、天蓋部２の上面２１の大気口１２を除いた部分にシールを貼ることで空気流入抵抗となるので、負圧を制御することができる。
【００２４】
図２及び図３に示すように、筐体１０の底面３には複数の吐出口１３（第１の吐出口１３Ｃ、第２の吐出口１３Ｍ及び第３の吐出口１３Ｙ）が備えられ、シアン、マゼンタ、イエロー各色のインクがそれぞれ対応する吐出口１３から吐出可能にインク収容室１１に収容される。
【００２５】
また、底面３の外側に形成されたＴ字状の溝１４は、底面３の短辺方向に延在する横溝１４Ａと、底面３の長辺方向に延在する縦溝１４Ｂとを備え、第１の吐出口１３Ｃと第２の吐出口１３Ｍとの間に縦溝１４Ｂが配置され、第１の吐出口１３Ｃ及び第２の吐出口１３Ｍと第３の吐出口１３Ｙとの間に横溝１４Ａが配置される。また、底面３の短辺方向に延在する横溝１４Ａの少なくとも一方は第２の側面４Ｂまたは第４の側面４Ｄまで延在し、底面３の長辺方向に延在する縦溝１４Ｂの一方は第３の側面４Ｃまで延在し、縦溝１４Ｂの他方と横溝１４Ａとの間は底面３まで垂直方向に延在する仕切り壁１５によって仕切られている。
【００２６】
Ｔ字状の溝１４を前述の配置にすると、第３の吐出口１３Ｙからインクが漏洩した時は横溝１４Ａに入り、第１の吐出口１３Ｃまたは第２の吐出口１３Ｍからインクが漏洩した時は横溝１４Ａ及び縦溝１４Ｂの少なくともいずれかに入るため、吐出口１３から漏洩したインクが異なる色種のインクを吐出する吐出口１３の中へ入らないようにすることができる。さらに、横溝１４Ａ及び縦溝１４Ｂは側面４まで延在しているため、横溝１４Ａまたは縦溝１４Ｂから側面４へインクをインクカートリッジ１の外側に放出し、インクがＴ字状の溝１４を越えて他の吐出口１３へ入り込むことを防止できる。
【００２７】
また、縦溝１４Ｂにはプリンタ（図示せず）側に設けられた位置決め突起（図示せず）に挿入される被挿入部が含まれており、インクカートリッジ１を装着する際の位置決めの役割を備えている。このため、縦溝１４Ｂに漏洩したインクが入り込むとインクカートリッジ１及びプリンタとの間で固着し、インクカートリッジ１の交換の妨げになる可能性があるため可能な限りインクが縦溝１４Ｂに入らないようにすることが望ましい。本実施例は、縦溝１４Ｂの他方と横溝１４Ａとの間に仕切り壁１５を設け、横溝１４Ａに漏洩したインクが縦溝１４Ｂに入り込まないようにしている。
【００２８】
図４に示すように、インク室１１はＴ字状の隔離壁１１１に分画された複数のインク収容室１１０を備え、複数のインク収容室１１０はシアンインクを収容する第１のインク収容室１１０Ｃと、マゼンタインクを収容する第２のインク収容室１１０Ｍと、イエローインクを収容する第３のインク収容室１１０Ｙとからなる。また、複数のインク収容室１１０内部にはそれぞれ複数の負圧材１６が収容され、負圧材１６の吸引力によりインクをインク室１１内部に保持している。複数の負圧材１６は量産の観点から、同じ寸法・形状のものを用いることが望ましく、複数の負圧材１６を収容する複数のインク収容室１１０も、可能な限り近い寸法・形状であることが望ましい。
【００２９】
また、図５に示すように、Ｔ字状の隔離壁１１１の底面３側にＴ字状の溝１４を設けることで、Ｔ字状の隔離壁１１１とＴ字状の溝１４とを同列に配置することが望ましく、Ｔ字状の隔離壁１１１とＴ字状の溝１４とを別々に配置する場合と比較して複数のインク収容室１１０のインク収容量を増加させることができる。
【００３０】
図１、図２及び図３に示すように、第３の側面４Ｃの下方には係合凸部４１が備えられ、第１の側面４Ａの下方には係合凹部４２が備えられており、係合凸部４１をプリンタ側係合凹部（図示せず）に挿入し、係合凹部４２にプリンタ側係合凸部（図示せず）が挿入されることで、インクカートリッジ１がプリンタに装着される。この時、縦溝１４Ｂに位置決め突起が挿入されることでインクカートリッジ１の位置が固定され、回路基板４３がプリンタ側回路基板（図示せず）と電気的に接続されることでインクカートリッジ１とプリンタとの間で通信を行い制御可能となる。
【実施例２】
【００３１】
実施例１では吐出口１３が３つの場合について説明したが、例えば、シアン、マゼンタ、イエロー、ブラックのインクに対応して４つの吐出口が備えられても良い。その場合、４つの吐出口に対応すべく、Ｔ字状の溝ではなく十字状の溝によって複数の吐出口が分画されても良い。
【符号の説明】
【００３２】
１…インクカートリッジ
２…天蓋部
３…底面
４…側面
４Ａ…第１の側面
４Ｂ…第２の側面
４Ｃ…第３の側面
４Ｄ…第４の側面
１０…筐体
１１…インク室
１２…大気口
１３…吐出口
１３Ｃ…第１の吐出口
１３Ｍ…第２の吐出口
１３Ｙ…第３の吐出口
１４…Ｔ字状の溝
１４Ａ…横溝
１４Ｂ…縦溝
１５…仕切り壁
１６…負圧材
２２…連通口
２２Ｃ…第１の連通口
２２Ｍ…第２の連通口
２２Ｙ…第３の連通口
２３…空気連通路
２３Ｃ…第１の空気連通路
２３Ｍ…第２の空気連通路
２３Ｙ…第３の空気連通路
４１…係合凸部
４２…係合凹部
４３…回路基板
１１０…複数のインク収容室
１１０Ｃ…第１のインク収容室
１１０Ｍ…第２のインク収容室
１１０Ｙ…第３のインク収容室
１１１…Ｔ字状の隔離壁
【図１】
0003207199.tif 000003
【図２】
0003207199.tif 000004
【図３】
0003207199.tif 000005
【図４】
0003207199.tif 000006
【図５】
0003207199.tif 000007